(57)【要約】【課題】 アドレスデータのスイッチングの頻度を少なくすることにより消費電力を低減し，輝度，発熱及び騷音などを効率的に制御する。【解決手段】  複数のアドレス電極と，対になって配列された複数の走査電極と維持電極を含むプラズマ表示パネルで，入力される映像データの各ライン間の差の合計を計算し，各ライン間の差の合計に対応されるアドレス自動電力制御レベルを決定する。その後，アドレス自動電力制御レベルに対応するスタートゲインからエンドゲインまで一定な間隔でゲイン値を減らしながら前記映像データにゲイン値を掛けて補正されたアドレスデータを出力する。【選択図】  図１０
2005107534.tif 000002
【特許請求の範囲】
【請求項１】
複数のアドレス電極と，相互に対になって配列された複数の走査電極と維持電極を含むプラズマ表示パネルのアドレスデータ自動電力制御装置において，
負荷率に対応する維持放電情報を保存するメモリ;
外部から入力される映像信号の負荷率を測定する平均信号レベル感知部;
現在入力されたデータの負荷率に対応する維持放電情報を出力する電力制御部;
前記映像信号の各ライン間の差の合計を計算し，各ライン間の差の合計に対応するスタートゲイン，エンドゲイン及び維持時間を決定し，前記スタートゲインから前記エンドゲインになる時点までゲイン値を一定の値ずつ減らしながら出力するアドレス電力制御部;
前記ゲイン値を前記映像信号に掛けてアドレスデータを生成するアドレスデータ生成部；を含む，
ことを特徴とするプラズマ表示パネルのアドレスデータ自動電力制御装置。
【請求項２】
前記アドレス電力制御部は，
映像信号をライン単位で保存するラインメモリ:
前記映像信号を前記ラインメモリにライン単位で保存して，現在ラインと従前ラインとのピクセルの差を求めて合計し，一つのフレームの各ライン間ピクセルの差の合計を求める合計計算部;
１フレームのライン間ピクセルの差の合計に対応するスタートゲイン，エンドゲイン及び維持時間情報を保存する利得保存部;
前記差の合計に対応するアドレスＡＰＣレベルを決定し，前記ＡＰＣレベルに対応するスタートゲイン，エンドゲイン及び維持時間を前記利得保存部の情報を参照して，前記スタートゲインから前記維持時間程維持した後，一定な間隔でゲインをエンドゲインになる時点まで減らしながらゲインを出力する利得決定部；を含む，
ことを特徴とする請求項１に記載のプラズマ表示パネルのアドレスデータ自動電力制御装置。
【請求項３】
前記アドレスＡＰＣレベルによって前記スタートゲインと前記エンドゲインが異なると共に，
前記スタートゲインから前記エンドゲインまで到達する時間と下降傾きとの関係は，前記アドレスＡＰＣレベルが小さい場合には緩やかであり，前記アドレスＡＰＣレベルが大きい場合には傾きの程度の大きい，
ことを特徴とする請求項２に記載のプラズマ表示パネルのアドレスデータ自動電力制御装置。
【請求項４】
前記エンドゲインは，一つのフレームのライン間ピクセルの差の合計が０である場合には，前記エンドゲインは１であり，
前記差の合計が増加するほどエンドゲインは小さくなり，前記エンドゲインは０〜１の間にある，ことを特徴とする請求項３に記載のプラズマ表示パネルのアドレスデータ自動電力制御装置。
【請求項５】
前記維持時間は，一つのフレームのライン間ピクセルの差の合計に対応するアドレス自動電力制御段階が増加するほど短くなる，ことを特徴とする請求項４に記載のアドレスデータ自動電力制御装置。
【請求項６】
Ｎ個のラインとＭ個の列を有する画像データの前記一つのフレームのライン間ピクセルの差の合計は，以下の数式１により求められる，
【数１】
2005107534.tif 000004
（但し，Ｐ：ピクセル値，ｉ：ライン，ｊ：コラム）
（数式１）
ことを特徴とする請求項５に記載のプラズマ表示パネルのアドレスデータ自動電力制御装置。
【請求項７】
前記アドレスデータ生成部は，補正された映像データ信号を階調用データ信号に変換し，階調別に分類し，予め設定された駆動シーケンスに適合するように再配列して出力する，  ことを特徴とする請求項５に記載のプラズマ表示パネルのアドレスデータ自動電力制御装置。
【請求項８】
複数のアドレス電極と，複数の走査電極及び維持電極を含むプラズマ表示パネル;
入力される映像データの各ライン間の差の合計を計算し，前記各ライン間の差の合計に対応するスタートゲイン，エンドゲイン及び維持時間を決定し，前記スタートゲインから一定の値で前記エンドゲインになる時点までゲイン値を一定の値ずつ減らしながら映像データに掛けてアドレスデータを生成し，前記映像信号の負荷率を測定し，前記測定された負荷率に該当する維持放電パルス情報を出力する制御部; 
前記制御部から出力されるアドレスデータに対応する電圧を前記プラズマパネルの前記アドレス電極に印加するアドレス電極駆動部;
前記制御部からの維持放電情報に対応する維持パルスと走査パルスを各々生成して前記維持電極と前記走査電極に印加する維持走査電極駆動部；を含む，
ことを特徴とするプラズマ表示パネル。
【請求項９】
前記制御部は，
負荷率に対応する維持放電情報を保存するメモリ;
外部から入力される映像信号の負荷率を測定する平均信号レベル感知部;
現在入力されたデータの負荷率に対応する維持放電情報を出力する電力制御部;
前記映像信号の各ライン間の差の合計を計算し，前記各ライン間の差の合計に対応するスタートゲイン，エンドゲイン及び維持時間を決定し，前記スタートゲインから前記エンドゲインになる時点までゲイン値を一定の値ずつ減らしながら出力するアドレス電力制御部;
前記ゲイン値を前記映像信号に掛けてアドレスデータを生成するアドレスデータ生成部；を含む，
ことを特徴とする請求項８に記載のプラズマ表示パネル。
【請求項１０】
前記アドレス電力制御部は，
映像信号をライン単位で保存するラインメモリ:
前記映像信号を前記ラインメモリにライン単位で保存して現在ラインと従前ラインのピクセルの差を求めて合計し，一つのフレームの各ライン間ピクセルの差の合計を求める合計計算部;
１フレームのライン間ピクセルの差の合計に対応するスタートゲイン，エンドゲイン及び維持時間情報を保存する利得保存部;
前記差の合計に対応するアドレスＡＰＣレベルを決定し，前記ＡＰＣレベルに対応するスタートゲイン，エンドゲイン及び維持時間を前記利得保存部の情報を参照してスタートゲインから維持時間程維持し，その後，一定な間隔で前記ゲインを前記エンドゲインになる時点まで減らしながらゲインを出力する利得決定部；を含む，
ことを特徴とする請求項９に記載のプラズマ表示パネル。
【請求項１１】
前記アドレスＡＰＣレベルによってスタートゲインとエンドゲインが異ると共に，
前記スタートゲインから前記エンドゲインまで到達する時間と下降傾きの関係は，前記アドレスＡＰＣレベルが小さい場合には緩やかであり，前記アドレスＡＰＣレベルが大きい場合には傾きの程が大きい，
ことを特徴とする請求項１０に記載のプラズマ表示パネル。
【請求項１２】
前記エンドゲインは，一つのフレームのライン間ピクセルの差の合計に対応するアドレス自動電力制御段階が増加するほど小さくなり，前記維持時間は前記アドレス自動電力制御段階が増加するほど短くなる，ことを特徴とする請求項１１に記載のプラズマ表示パネル。
【請求項１３】
複数のアドレス電極と，相互に対になって配列された複数の走査電極と維持電極を含むプラズマ表示パネルのアドレスデータ自動電力制御方法であって，
入力される映像データの各ライン間の差の合計を計算し，前記各ライン間の差の合計に対応するアドレス電力制御段階を決定する段階;
前記アドレス電力制御段階に対応されるスタートゲイン，エンドゲイン及び維持時間を出力する段階;
前記スタートゲインから一定の値で前記エンドゲインになる時点まで減らしながらゲイン値を映像データに掛けて補正された映像データを出力する段階；を含む，
ことを特徴とするプラズマ表示パネルのアドレスデータ自動電力制御方法。
【請求項１４】
前記補正された映像データを階調用データ信号に変換し，階調別に分類し，予め設定された駆動シーケンスに適合するように再配列して出力する段階をさらに含む，
ことを特徴とする請求項１３に記載のプラズマ表示パネルのアドレスデータ自動電力制御方法。
【請求項１５】
入力される映像データの負荷率を測定し，前記負荷率に該当する維持放電パルス情報を出力する段階;
前記維持放電パルス情報に対応する維持パルスと走査パルスを各々生成して前記維持電極と前記走査電極に印加する段階;
前記再配列されたデータに対応するアドレスデータを生成して前記プラズマパネルの前記アドレス電極に印加する段階；をさらに含む，
ことを特徴とする請求項１４に記載のプラズマ表示パネルのアドレスデータ自動電力制御方法。
【請求項１６】
前記エンドゲインは，一つのフレームのライン間ピクセルの差の合計に対応するアドレス自動電力制御段階が増加するほど小さくなり，前記維持時間は前記アドレス自動電力制御段階が増加するほど短くなる，
ことを特徴とする請求項１５に記載のプラズマ表示パネルのアドレスデータ自動電力制御方法。
【発明の詳細な説明】
【技術分野】
【０００１】
本発明は，プラズマ表示パネルのアドレスデータ自動電力制御方法，その装置，及びその装置を有するプラズマ表示パネルに関する。
【背景技術】
【０００２】
プラズマ表示パネルは，一般に，その駆動特性により消費電力が高いので，表示されるフレームの負荷率に応じて消費電力を制御する装置が必要である。このような消費電力を制御する方法として，自動電力制御により消費電力を制限する方法がある。しかしながら，従来においては，維持走査パルスを発生する部分に対してのみ自動電力制御が行われ，アドレスデータを発生する部分には電力制御を行っていなかった。このため，アドレスデータを駆動する部分の電力消費が大きいという問題があった。
【０００３】
以下，添付した図面を参照して従来の技術に関して詳細に説明する。なお，図１は，フルホワイト時の画像データを示す説明図である。
【０００４】
図１に示すように，フルホワイトの時には全てのデータが１としてアドレス電極のデータ変動がほとんどなく，パルススイッチングが少なく，スイッチング回数に比例して消費電力が増加するので充/放電無効電力が少ない。このとき，駆動波形は，図２に示すように，フルホワイト時には，太い実線で表示された一つのカラムに対して一度のスイッチングだけがあれば可能である。
【発明の開示】
【発明が解決しようとする課題】
【０００５】
しかしながら，ドットパターン画像データの場合は，図３に示すように，データが１から０，あるいは０から１に継続して変化するのでスイッチングが多く起こるようになる。このときの駆動波形を図４に示す。
【０００６】
図４に示すように，ドットパターンでは，アドレス電極のデータ変動が多く，駆動波形のパルススイッチングが頻繁に起こるようになるので，消費電力が増加するようになる。上記過程のように，アドレスデータで全ラインの画素と現在ラインの画素の差が多いほどスイッチングが頻繁に起こるので，消費電力が増加するという問題がある。
【０００７】
したがって，本発明の目的は，アドレスデータのスイッチングの頻度を少なくして消費電力を低減し，輝度，発熱及び騷音などを効率的に制御することが可能な新規かつ改良されたプラズマ表示パネルのアドレスデータ自動電力制御方法，その装置，及びその装置を含むプラズマ表示パネル装置を提供することにある。
【課題を解決するための手段】
【０００８】
上記課題を解決するため，本発明の第１の観点においては，複数のアドレス電極と，対になって配列された複数の走査電極と維持電極を含むプラズマ表示パネルのアドレスデータ自動電力制御方法であって，入力される映像データの各ライン間の差の合計を計算し，各ライン間の差の合計に対応するアドレス電力制御段階を決定する段階;前記アドレス電力制御段階に対応されるスタートゲイン，エンドゲイン及び維持時間を出力する段階;前記スタートゲインから一定の値で前記エンドゲインになる時点まで落ちながらゲイン値を映像データに掛けて補正された映像データを出力する段階を含む。プラズマ表示パネルのアドレスデータ自動電力制御方法が提供される。
【０００９】
上記課題を解決するため，本発明の第２の観点においては，複数のアドレス電極と，対になって配列された複数の走査電極と維持電極を含むプラズマ表示パネルのアドレスデータ自動電力制御装置において，負荷率に対応する維持放電情報を保存するメモリ;外部から入力される映像信号の負荷率を測定する平均信号レベル感知部;現在入力されたデータの負荷率に対応する維持放電情報を出力する電力制御部;前記映像信号の各ライン間の差の合計を計算し，各ライン間の差の合計に対応するスタートゲイン，エンドゲイン及び維持時間を決定し，前記スタートゲインから前記エンドゲインになる時点までゲイン値を一定の値ずつ減らしながら出力するアドレス電力制御部;前記ゲイン値を前記映像信号に掛けてアドレスデータを生成するアドレスデータ生成部を含む，ことを特徴とするプラズマ表示パネルのアドレスデータ自動電力制御装置が提供される。
【００１０】
また，前記アドレスデータ生成部は補正された映像データ信号を階調用データ信号に変換し，階調別に分類し，予め設定された駆動シーケンスに適合するように再配列して出力する，如く構成するのが好ましい。
【００１１】
また，上記課題を解決するため，本発明の第３の観点においては，複数のアドレス電極と，複数の走査電極及び維持電極を含むプラズマ表示パネル;入力される映像データの各ライン間の差の合計を計算し，各ライン間の差の合計に対応するスタートゲイン，エンドゲイン及び維持時間を決定し，前記スタートゲインから一定の値で前記エンドゲインになる時点までゲイン値を一定の値ずつ減らしながら映像データに掛けてアドレスデータを生成し，前記映像信号の負荷率を測定し，測定された負荷率に該当する維持放電パルス情報を出力する制御部;前記制御部から出力されるアドレスデータに対応する電圧を前記プラズマパネルの前記アドレス電極に印加するアドレス電極駆動部;前記制御部からの維持放電情報に対応する維持パルスと走査パルスを各々生成して前記維持電極と走査電極に印加する維持走査電極駆動部を含む，ことを特徴とするプラズマ表示パネルが提供される。
【発明の効果】
【００１２】
アドレス自動電力制御レベルに対応するスタートゲイン，エンドゲイン及び維持時間でアドレス電力制御を実施して消費電力，騷音，発熱を減らし輝度を向上するプラズマ表示パネルのアドレスデータ自動電力制御方法と装置，その装置を含むプラズマ表示パネルを提供できる。
【発明を実施するための最良の形態】
【００１３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１４】
まず，図５に基づいて，第１の実施の形態にかかるプラズマ表示パネルの構成を説明する。なお，図５は，第１の実施の形態にかかるプラズマ表示パネルの構成を示す説明図である。
【００１５】
本実施形態にかかるプラズマ表示パネルは，図５に示すように，プラズマ表示パネル１００，制御部３００，アドレス電極駆動部２００，維持走査電極駆動部４００などから構成される。
【００１６】
プラズマ表示パネル１００は，複数のアドレス電極と，格子状に配列された複数の走査電極と維持電極とを含む。制御部３００は，入力される映像データの各ライン間の差の合計を計算し，各ライン間の差の合計に対応するスタートゲイン，エンドゲイン及び維持時間を決定し，スタートゲインから一定の値でエンドゲインになる時点までゲイン値を一定の値ずつ減らしながら映像データに掛けてアドレスデータを生成し，映像信号の負荷率を測定し，測定された負荷率に該当する維持放電パルス情報を出力する。
【００１７】
アドレス電極駆動部２００は，制御部３００から出力されるアドレスデータに対応する電圧をプラズマパネルのアドレス電極に印加する。維持走査電極駆動部４００は，制御部３００からの維持放電情報に対応する維持パルスと走査パルスを各々生成して維持電極と走査電極に印加する。
【００１８】
次に，図６に基づいて，本実施形態にかかる制御部３００の内部構成を説明する。なお，図６は，図５の制御部３００の内部構成を示すブロック図である。
【００１９】
図６に示すように，制御部３００は，アドレス電力制御部３１０，アドレスデータ生成部３４０，維持走査電力制御部３３０，平均信号レベル感知部３２０，メモリ３５０，誤差拡散部３６０及びガンマ補正部３７０などから構成される。
【００２０】
ガンマ補正部３７０は，入力された映像信号をガンマ補正する。誤差拡散部３６０は，ガンマ補正された映像信号を誤差拡散する。メモリ３５０は，負荷率に対応する維持放電情報を保存する。平均信号レベル感知部３２０は，誤差拡散された映像信号の負荷率を測定する。維持走査電力制御部３３０は，現在入力されたデータの負荷率に対応する維持放電情報を出力する。アドレス電力制御部３１０は，ガンマ補正された映像信号の各ライン間の差の合計を計算し，各ライン間の差の合計に対応するスタートゲイン，エンドゲイン及び維持時間を決定し，スタートゲインからエンドゲインになる時点までゲイン値を一定の値ずつ減らしながら出力する。アドレスデータ生成部３４０は，ゲイン値を映像信号に掛け，階調用データ信号に変換し，階調別に分類し，予め設定された駆動シーケンスに適合するように再配列して出力する。
【００２１】
次に，図７に基づいて，第１の実施の形態にかかるアドレス電力制御部の構成について説明する。なお，図７は，第１の実施の形態にかかるアドレス電力制御部の構成を示すブロック図である。
【００２２】
図７に示すように，本実施形態にかかるアドレス電力制御部は，ラインメモリ３１１，利得保存部３１３，利得決定部３１４及び合計計算部３１２などから構成される。
【００２３】
以下，図５，図６及び図７に基づいて，上記構成を有する本実施形態にかかるプラズマ表示パネルのアドレスデータ自動電力制御方法，その装置，その装置を含むプラズマ表示パネルの動作について詳細に説明する。
【００２４】
まず，外部からデータ成分と（Ｒ，Ｇ，Ｂ）と同期信号（Ｈｓｙｎｃ，Ｖｓｙｎｃ）を含む映像信号が入力される。さらに，制御部３００のガンマ補正部３７０は，映像信号をガンマ補正して出力する。その後，誤差拡散部３６０がガンマ補正された映像信号を誤差拡散する。その後，平均信号レベル感知部３２０は，データ成分（Ｒ，Ｇ，Ｂ）の平均信号レベルを測定する。測定された平均信号レベルは，維持走査電力制御部３３０に入力される。さらに，維持走査電力制御部３３０は平均信号レベル感知部３２０で現在測定される負荷率に対応する維持放電情報をメモリ３５０から読み込んで維持走査電極駆動部４００に出力する。
【００２５】
さらに，維持走査電極駆動部４００は，維持放電情報を受信し，負荷率に該当する維持放電パルス個数をメモリ３５０から読み込んで，維持パルスと走査パルスを各々発生して維持電極と走査電極に印加する。
【００２６】
一方，アドレス電力制御部３１０の合計計算部３１２は，映像信号をラインメモリ３１１にライン単位で保存して現在ラインと従前ラインの差を求めて合計し，このような方法で一つのフレームの各ライン間の差の合計を求める。このとき，差を求める式を，以下の数式１に示す。
【００２７】
【数１】
2005107534.tif 000003
（但し，Ｐ：ピクセル値，ｉ：ライン，ｊ：カラム）
（数式１）
【００２８】
上記数式１により，Ｎ個のラインとＭ個の列を有する画像データの各ライン間の差の合計を求めることができる。上記数式１は，様々な変形が可能であって，ライン単位で演算するように変形することもでき，一度に全体の合計を求めるように変形することもできる。
【００２９】
合計計算部３１２は，従前ラインと現在ライン，現在ラインと後続ライン，その後のライン，．．．．．．，Ｎ-１ラインとＮライン間の差を計算し，その差を合計した値（Ｓ）を求めると，その値（Ｓｕｍ）を利得決定部３１４に出力する。
【００３０】
利得決定部３１４は，差の合計（Ｓ）に対応する自動電力制御（ＡＰＣ）レベルを決定し，ＡＰＣレベルに該当するエンドゲインを利得保存部３１３のルックアップテーブルを参照して決定して出力する。このとき，ＡＰＣレベルに対応するゲイン値を，図８に示す。
【００３１】
ここで，利得値は，差の合計（Ｓｕｍ）に反比例し，０〜１間である。差の合計（Ｓｕｍ）の大きいということは，ピクセル間のデータ差の大きいことであり，消費電力が増加することになるので，利得値を掛けてピクセル間のデータ差を減らすことが求められる。
【００３２】
差の合計（Ｓｕｍ）が０であれば，利得値は１であり，差の合計（Ｓｕｍ）が増加するほど利得値は小さくなる。このような利得値は，実験を通じてセッティングしてルックアップテーブル形態で保存して使用することもできる。このような利得値は，必要に応じて本来の映像信号を変形しない範囲で変更することができ，１以上になるように設計することもできる。
【００３３】
アドレスデータ生成部３４０は，利得値を映像信号に掛けて補正データを出力し，補正データを階調用データ信号に変換し，階調別に分類し，予め設定された駆動シーケンスに適合するように再配列してアドレスデータをアドレス電極駆動部２００に出力する。
【００３４】
図９に示すアドレス消費電力を高めるパターンが入力されると出力階調を以下に説明する。
【００３５】
図９に示すように，入力階調が２５５であり，このとき，ＡＰＣレベルは３０である。さらに，出力階調＝（入力階調×ゲイン）＝（２５５×０．５）＝１２８である。即ち，入力階調２５５が出力階調１２８に出力される。さらに，アドレスデータ発生部２００は，アドレスデータに対応する電圧をアドレス電極ラインなどに印加する。さらに，プラズマ表示パネル１００には当該映像データが表示される。このように映像信号の各ピクセル間の差の大きい時は利得値を掛けてその差を減らしてスイッチング回数を減らすので，消費電力を減少させることができる。
（第２の実施の形態）
【００３６】
次に，図１０〜図１４に基づいて，第２の実施の形態について説明する。上記第１の実施の形態においては，ルックアップテーブルに保存されている値は，騷音や消費電力を考慮して実験値で得られるので，瞬間消費電力，発熱及び騷音を減少させることはできるが，輝度は急激に低下することになる。第２の実施の形態においては，瞬間消費電力，発熱及び騷音及び輝度を好適に制御することができる。
【００３７】
図１０は，第２の実施の形態にかかるアドレス電力制御部のブロック構成図である。図１０に示すように，第２の実施の形態にかかるアドレス電力制御部は，映像信号をライン単位で保存するラインメモリ３１１；映像信号をラインメモリにライン単位で保存して現在ラインと従前ラインのピクセルの差を求めて合計し，一つのフレームの各ライン間ピクセルの差の合計を求める合計計算部３１２;１フレームのライン間ピクセルの差の合計に対応するスタートゲイン，エンドゲイン及び維持時間情報を保存する利得保存部３１５;差の合計に対応するアドレスＡＰＣレベルを決定し，ＡＰＣレベルに対応するスタートゲイン，エンドゲイン及び維持時間を利得保存部の情報を参照してスタートゲインから維持時間程維持し，その後，一定な間隔でゲインをエンドゲインになる時点まで減らしながらゲインを出力する利得決定部３１４を含む。
【００３８】
上記構成を有するアドレス電力制御部の動作を以下に説明する。
【００３９】
本実施形態にかかるアドレス電力制御部の動作は，第１の実施の形態と同様に，利得保存部３１５に保存されたゲイン値がスタートゲイン，エンドゲイン，維持時間に区分されてルックアップテーブル形態で保存されている。
【００４０】
本実施形態においては，利得決定部３１４でアドレスＡＰＣレベルが決定されると，ルックアップテーブルからスタートゲイン，エンドゲイン及び維持時間を受信する。その後，利得決定部が各アドレスＡＰＣレベルによってスタートゲインを出力すると，アドレスデータ生成部３４０でＲ．Ｇ．Ｂ映像信号にスタートゲインを掛け，維持時間程そのゲインが維持されて一定の間隔で低下してエンドゲイン値まで低下した後にはエンドゲイン値が維持される。
【００４１】
上記動作でゲインが出力されることを図１１に示す。図１１に示すように，アドレスＡＰＣレベルによってスタートゲインとエンドゲイン値が異なり，アドレスＡＰＣレベルが大きくなるほどスタートゲインとエンドゲインの差も大きくなる。また，スタートゲインから一定な間隔で低下してエンドゲインに維持される。
【００４２】
また，図１２には，図１１の状態を３次元で示している。かかる第２の実施の形態においては，は各アドレスＡＰＣレベルによってＲ．Ｇ．Ｂに掛けられるスタートゲインが異なるので瞬間消費電力減少及び発熱，騷音，輝度を全て制御することができる。
【００４３】
図１２に示すように，アドレスＡＰＣレベルによってスタートゲインとエンドゲインが異なり，スタートゲインからエンドゲインまで到達する時間と下降傾きとの関係は，アドレスＡＰＣレベルが小さい場合には緩やかあるが，アドレスＡＰＣレベルが大きい場合には傾きの程度が大きいことを分かる。
【００４４】
実際に入力階調値がアドレスＡＰＣレベルによって変化して出力される例を図１３及び図１４に基づいて説明する。
【００４５】
図１３に示すパターンが入力されて階調が２５５である場合には，アドレスＡＰＣレベルは３０である。
【００４６】
パターン入力時:出力階調＝[入力階調×ゲイン]＝[２５５×０．６８７５]＝１７５
１秒後:出力階調＝[入力階調×ゲイン]＝[２５５×０．６７９６]＝１７３
２秒後:出力階調＝[入力階調×ゲイン]＝[２５５×０．６７１９]＝１７１
入力後，４８秒以降:出力階調＝[入力階調×ゲイン]＝[２５５×０．３４３８]＝８８
入力階調２５５が，１７５→１７３→１７１→………→８８，のように時間の経過に伴って異なるように出力される。
【００４７】
また，図１４に示すパターンが入力されて階調が２５５である場合には，アドレスＡＰＣレベルは２０である。
【００４８】
パターン入力時:出力階調＝[入力階調×ゲイン]＝[２５５×１．００００]＝２５５
１秒後:出力階調＝[入力階調×ゲイン]＝[２５５×０．９９２２]＝２５３ 
３秒後:出力階調＝[入力階調×ゲイン]＝[２５５×０．９８４４]＝２５１
入力後，１４０秒以降:出力階調＝[入力階調×ゲイン]＝[２５５×０．５０００]＝１２８
入力階調２５５が，２０７→１９９→１６１→………→１２８，のように時間の経過に伴って異なって出力される。
【００４９】
図１３と図１４とを比較すると，始まる時と終わる時の階調が異なり，出力階調が変化する時間とエンドゲイン値に到達される時間も異なるように設定されている。このような第２の実施の形態においては，アドレスＡＰＣレベルによってゲインと維持時間の差が設けられているので，輝度，発熱，消費電力及び騷音の問題が全て改善される。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００５１】
【図１】フルホワイト時の画像データを示した図である。
【図２】図１のスイッチング波形図である。
【図３】ドットパターン画像データを示した図である。
【図４】図３のスイッチング波形図である。
【図５】第１の実施の形態にかかるプラズマ表示パネルの構成図である。
【図６】図５の制御部の詳細図である。
【図７】第１の実施の形態にかかるアドレス電力制御部のブロック図である。
【図８】図７のアドレスＡＰＣレベルによるゲイン値を示した図である。
【図９】アドレス消費電力を高めるパターンの例である。
【図１０】第２の実施の形態にかかるアドレス電力制御部のブロック図である。
【図１１】図１０のアドレスＡＰＣレベルによるスタートゲイン及びエンドゲイン値を示した図である。
【図１２】図１１を三次元で示した図である。
【図１３】アドレスＡＰＣレベルが各々違うニ種類のパターンを各々示した図である。
【図１４】アドレスＡＰＣレベルが各々違うニ種類のパターンを各々示した図である。
【符号の説明】
【００５２】
１００ プラズマ表示パネル
２００ アドレス電極駆動部
３００ 制御部
４００ 維持走査電極駆動部
【図１】
2005107534.tif 000005
【図２】
2005107534.tif 000006
【図３】
2005107534.tif 000007
【図４】
2005107534.tif 000008
【図５】
2005107534.tif 000009
【図６】
2005107534.tif 000010
【図７】
2005107534.tif 000011
【図８】
2005107534.tif 000012
【図９】
2005107534.tif 000013
【図１０】
2005107534.tif 000014
【図１１】
2005107534.tif 000015
【図１２】
2005107534.tif 000016
【図１３】
2005107534.tif 000017
【図１４】
2005107534.tif 000018